(57)【要約】【課題】目的成分を第１流路から第２流路に精度よく分離することができるガス流路切替装置、ガス流路切替方法及びガス流路切替プログラムを提供する。【解決手段】予め定められた基準成分（ピークＰ２）を検出部により検出した時間ＲＴが、当該基準成分に対応付けられた基準時間に対して所定時間ΔＲＴずれている場合に、その後に目的成分（ピークＰ１）を第１流路から第２流路に導くための切替部の切替タイミングＴ１、Ｔ２をリアルタイムでシフトさせる。基準成分を検出する時間ＲＴがずれている場合には、目的成分が分岐部を通過する時間もずれているため、前記所定時間ΔＲＴに応じた時間ΔＴ１、ΔＴ２だけ切替部の切替タイミングＴ１、Ｔ２をシフトさせることにより、目的成分を第１流路から第２流路に精度よく分離することができる。【選択図】  図３
2014153075.tif 000002
【特許請求の範囲】
【請求項１】
カラムを通過した試料ガスが流れる第１流路と、
前記第１流路から分岐する第２流路と、
前記第１流路及び前記第２流路の分岐部に設けられ、前記第１流路を流れる試料ガスを前記第２流路に導くか否かを切り替えるための切替部と、
前記カラムを通過した試料ガス中の成分を検出するための検出部と、
前記検出部による検出結果に基づいて前記切替部を制御する制御部とを備え、
前記制御部は、予め定められた基準成分を前記検出部により検出した時間が、当該基準成分に対応付けられた基準時間に対して所定時間ずれている場合に、その後に目的成分を前記第２流路に導くための前記切替部の切替タイミングを、当該所定時間に応じた時間だけリアルタイムでシフトさせる切替タイミングシフト処理部を含むことを特徴とするガス流路切替装置。
【請求項２】
前記切替タイミングシフト処理部は、複数の前記基準成分が前記検出部により検出された場合に、各基準成分が検出された時間に基づいて、その後に各基準成分に対応する目的成分を前記第２流路に導くための前記切替部の切替タイミングをシフトさせることを特徴とする請求項１に記載のガス流路切替装置。
【請求項３】
前記切替部の切替タイミングを含む前記制御部による制御の条件設定を記憶する条件設定記憶部をさらに備え、
前記制御部は、前記切替タイミングシフト処理部により前記切替部の切替タイミングがシフトされた場合に、シフト後の時間に前記切替部が切り替えられるように、前記条件設定記憶部に記憶されている条件設定を補正する条件設定補正処理部を含むことを特徴とする請求項１又は２に記載のガス流路切替装置。
【請求項４】
カラムを通過した試料ガスが流れる第１流路と前記第１流路から分岐する第２流路との分岐部に設けられた切替部を、前記カラムを通過した試料ガス中の成分を検出するための検出部による検出結果に基づいて制御することにより、前記第１流路を流れる試料ガスを前記第２流路に導くか否かを切り替えるためのガス流路切替方法であって、
予め定められた基準成分を前記検出部により検出した時間が、当該基準成分に対応付けられた基準時間に対して所定時間ずれている場合に、その後に目的成分を前記第２流路に導くための前記切替部の切替タイミングを、当該所定時間に応じた時間だけリアルタイムでシフトさせる切替タイミングシフト処理ステップを含むことを特徴とするガス流路切替方法。
【請求項５】
カラムを通過した試料ガスが流れる第１流路と前記第１流路から分岐する第２流路との分岐部に設けられた切替部を、前記カラムを通過した試料ガス中の成分を検出するための検出部による検出結果に基づいて制御することにより、前記第１流路を流れる試料ガスを前記第２流路に導くか否かを切り替えるためのガス流路切替プログラムであって、
予め定められた基準成分を前記検出部により検出した時間が、当該基準成分に対応付けられた基準時間に対して所定時間ずれている場合に、その後に目的成分を前記第２流路に導くための前記切替部の切替タイミングを、当該所定時間に応じた時間だけリアルタイムでシフトさせる切替タイミングシフト処理部としてコンピュータを機能させることを特徴とするガス流路切替プログラム。
【発明の詳細な説明】
【技術分野】
【０００１】
本発明は、カラムを通過した試料ガスが流れる第１流路と前記第１流路から分岐する第２流路との分岐部に設けられた切替部を、前記カラムを通過した試料ガス中の成分を検出するための検出部による検出結果に基づいて制御することにより、前記第１流路を流れる試料ガスを前記第２流路に導くか否かを切り替えるためのガス流路切替装置、ガス流路切替方法及びガス流路切替プログラムに関するものである。
【背景技術】
【０００２】
ガスクロマトグラフなどの分析装置においては、試料ガスをカラムに導入することにより、当該カラムを試料ガスが通過する過程で、試料ガスに含まれる各成分を分離することができるようになっている。この種の分析装置の一例としては、複数のカラムを用いて、より精度の高い分離を行うことができるマルチディメンジョナルガスクロマトグラフが知られている（例えば、下記特許文献１参照）。
【０００３】
例えば、２つのカラムを用いて各成分を分離するようなマルチディメンジョナルガスクロマトグラフには、第１カラムを通過した試料ガスが流れる第１流路と、当該第１流路から分岐して第２カラムに試料ガスを導くための第２流路とが備えられている。第１流路及び第２流路の分岐部には、いわゆるディーンズ（Deans）方式を用いて極めて短時間で流路を切り替えることができるような切替部が設けられている。この切替部を切り替えることにより、第１流路を流れる試料ガス中の目的成分を第２流路に導くことができる。
【０００４】
図６は、従来のマルチディメンジョナルガスクロマトグラフにおいて切替部を切り替える際の態様について説明するためのクロマトグラムの概略図である。切替部は、予め設定されたタイミングで切り替えられるが、この切替タイミングは、例えば切替部を切り替えずに分析を行うことにより得られたクロマトグラムを用いて設定される。
【０００５】
切替部を切り替えずに分析を行うことにより、図６（ａ）に示すようなクロマトグラムが得られた場合、目的成分を第１流路から第２流路に分離するために、当該目的成分のピークＰ１００の前後で切替部を切り替えるための時間設定が行われる。すなわち、ピークＰ１００の直前のタイミングＴ１０１で試料ガスを第２流路に導くように切替部を切り替える時間が設定されるとともに、ピークＰ１００の直後のタイミングＴ１０２で元の状態（試料ガスを第２流路に導かない状態）に戻すように切替部を切り替える時間が設定される。
【先行技術文献】
【特許文献】
【０００６】
【特許文献１】特開２０１０−２７１２４１号公報
【発明の概要】
【発明が解決しようとする課題】
【０００７】
しかしながら、例えば化学結合率の低いカラムや未結合タイプ（ＷＣＯＴ：Wall Coated Open Tubular）のカラムを用いた場合などには、カラムがカラムオーブン内で加熱されることにより、カラム内の液相が徐々に蒸発し、分析ごとにカラムの保持能力が低下しやすいという問題がある。カラムの保持能力が徐々に低下すると、同じ試料ガスを分析する場合であっても、リテンションタイムが徐々に短くなり、分析ごとにリテンションタイムの変動が生じるという問題がある。
【０００８】
例えば、図６（ａ）に示すようなクロマトグラムに基づいて、目的成分のピークＰ１００の前後で切替部を切り替えるための時間設定が行われた後、その時間設定で繰り返し分析を行った場合には、目的成分を第１流路から第２流路に精度よく分離することができなくなるおそれがある。
【０００９】
すなわち、図６（ｂ）に示すように、リテンションタイムが短くなった結果、タイミングＴ１０１で試料ガスを第２流路に導くように切替部を切り替えた後、タイミングＴ１０２で元の状態（試料ガスを第２流路に導かない状態）に戻すように切替部を切り替えたとしても、ピークＰ１００に対応する目的成分を第１流路から第２流路に精度よく分離することができなくなる場合が生じ得る。例えばキャピラリカラムを用いた場合などには、タイミングＴ１０１とタイミングＴ１０２との間隔が短くなり、上記のような問題が特に生じやすい。
【００１０】
本発明は、上記実情に鑑みてなされたものであり、目的成分を第１流路から第２流路に精度よく分離することができるガス流路切替装置、ガス流路切替方法及びガス流路切替プログラムを提供することを目的とする。
【課題を解決するための手段】
【００１１】
本発明に係るガス流路切替装置は、カラムを通過した試料ガスが流れる第１流路と、前記第１流路から分岐する第２流路と、前記第１流路及び前記第２流路の分岐部に設けられ、前記第１流路を流れる試料ガスを前記第２流路に導くか否かを切り替えるための切替部と、前記カラムを通過した試料ガス中の成分を検出するための検出部と、前記検出部による検出結果に基づいて前記切替部を制御する制御部とを備え、前記制御部は、予め定められた基準成分を前記検出部により検出した時間が、当該基準成分に対応付けられた基準時間に対して所定時間ずれている場合に、その後に目的成分を前記第２流路に導くための前記切替部の切替タイミングを、当該所定時間に応じた時間だけリアルタイムでシフトさせる切替タイミングシフト処理部を含むことを特徴とする。
【００１２】
このような構成によれば、予め定められた基準成分を検出部により検出した時間が、当該基準成分に対応付けられた基準時間に対して所定時間ずれている場合に、その後に目的成分を第１流路から第２流路に導くための切替部の切替タイミングがリアルタイムでシフトされる。基準成分を検出する時間がずれている場合には、目的成分が分岐部を通過する時間もずれているため、前記所定時間に応じた時間だけ切替部の切替タイミングをシフトさせることにより、目的成分を第１流路から第２流路に精度よく分離することができる。
【００１３】
前記切替タイミングシフト処理部は、複数の前記基準成分が前記検出部により検出された場合に、各基準成分が検出された時間に基づいて、その後に各基準成分に対応する目的成分を前記第２流路に導くための前記切替部の切替タイミングをシフトさせるものであってもよい。
【００１４】
このような構成によれば、分析時間が長い場合や目的成分が非常に多い場合などであっても、複数の基準成分を用いることにより、各基準成分に対応する目的成分を第１流路から第２流路に精度よく分離することができる。
【００１５】
前記ガス流路切替装置は、前記切替部の切替タイミングを含む前記制御部による制御の条件設定を記憶する条件設定記憶部をさらに備えていてもよい。この場合、前記制御部は、前記切替タイミングシフト処理部により前記切替部の切替タイミングがシフトされた場合に、シフト後の時間に前記切替部が切り替えられるように、前記条件設定記憶部に記憶されている条件設定を補正する条件設定補正処理部を含むものであってもよい。
【００１６】
このような構成によれば、切替部の切替タイミングがシフトされた場合に、シフト後の時間に切替部が切り替えられるように、条件設定記憶部に記憶されている条件設定が補正されるため、その後の分析時に補正された条件設定を用いて分析を行うことができる。すなわち、切替部の切替タイミングがシフトされたときの条件を、その後に行われる分析時の条件設定に反映させることができるため、より適切な条件設定を用いて分析を行うことができる。
【００１７】
本発明に係るガス流路切替方法は、カラムを通過した試料ガスが流れる第１流路と前記第１流路から分岐する第２流路との分岐部に設けられた切替部を、前記カラムを通過した試料ガス中の成分を検出するための検出部による検出結果に基づいて制御することにより、前記第１流路を流れる試料ガスを前記第２流路に導くか否かを切り替えるためのガス流路切替方法であって、予め定められた基準成分を前記検出部により検出した時間が、当該基準成分に対応付けられた基準時間に対して所定時間ずれている場合に、その後に目的成分を前記第２流路に導くための前記切替部の切替タイミングを、当該所定時間に応じた時間だけリアルタイムでシフトさせる切替タイミングシフト処理ステップを含むことを特徴とする。
【００１８】
本発明に係るガス流路切替プログラムは、カラムを通過した試料ガスが流れる第１流路と前記第１流路から分岐する第２流路との分岐部に設けられた切替部を、前記カラムを通過した試料ガス中の成分を検出するための検出部による検出結果に基づいて制御することにより、前記第１流路を流れる試料ガスを前記第２流路に導くか否かを切り替えるためのガス流路切替プログラムであって、予め定められた基準成分を前記検出部により検出した時間が、当該基準成分に対応付けられた基準時間に対して所定時間ずれている場合に、その後に目的成分を前記第２流路に導くための前記切替部の切替タイミングを、当該所定時間に応じた時間だけリアルタイムでシフトさせる切替タイミングシフト処理部としてコンピュータを機能させることを特徴とする。
【発明の効果】
【００１９】
本発明によれば、予め定められた基準成分を検出部により検出した時間に基づいて、その後に目的成分を第１流路から第２流路に導くための切替部の切替タイミングをリアルタイムでシフトさせることにより、目的成分を第１流路から第２流路に精度よく分離することができる。
【図面の簡単な説明】
【００２０】
【図１】本発明の一実施形態に係るガス流路切替装置を備えた分析装置の構成例を示す概略図である。
【図２】ガス流路切替装置の電気的構成を示すブロック図である。
【図３】切替部を切り替える際の態様について説明するためのクロマトグラムの概略図である。
【図４】切替部の切替タイミングをシフトさせる際の制御部による処理の一例を示すフローチャートである。
【図５】切替部を切り替える際の別の態様について説明するためのクロマトグラムの概略図である。
【図６】従来のマルチディメンジョナルガスクロマトグラフにおいて切替部を切り替える際の態様について説明するためのクロマトグラムの概略図である。
【発明を実施するための形態】
【００２１】
図１は、本発明の一実施形態に係るガス流路切替装置１を備えた分析装置の構成例を示す概略図である。この分析装置は、いわゆるマルチディメンジョナルガスクロマトグラフであり、２つのカラム（第１カラム１１及び第２カラム１２）を用いて試料ガスに含まれる各成分を分離することができるようになっている。
【００２２】
第１カラム１１及び第２カラム１２は、例えばキャピラリカラムである。第１カラム１１は、第１カラムオーブン１１１内で加熱され、第２カラム１２は、第２カラムオーブン１２１内で加熱されるようになっている。キャリアガスに試料成分が含まれた試料ガスは、試料ガス導入部１３から第１カラムオーブン１１１内に導入され、第１カラム１１に供給されるようになっている。ここで、第１カラム１１及び第２カラム１２は、別々のカラムオーブン１１１、１２１内に設置され、それぞれ独立した温度制御が可能な構成となっているが、これに限らず、第１カラム１１及び第２カラム１２が共通の一のカラムオーブン内に設置され、共通に加熱されるような構成であってもよい。
【００２３】
試料ガスに含まれる各成分は、第１カラム１１を通過する過程で分離される。第１カラム１１を通過した試料ガスは、第１流路１４１を流れて検出部１５に供給されるようになっている。検出部１５は、例えば水素炎イオン化検出器（ＦＩＤ）により構成されており、第１カラム１１を通過した試料ガス中の成分を検出することができる。ただし、このような構成に限らず、検出部１５は、水素炎イオン化検出器以外の検出器、例えば、ガスクロマトグラフに使用される一般的な検出器である、熱伝導度型検出器、電子捕獲型検出器、及び、炎光光度検出器から選択される検出器により構成されていてもよい。
【００２４】
第２カラム１２は、第１流路１４１から分岐する第２流路１４２を介して、第１カラム１１に連通している。第１流路１４１と第２流路１４２との分岐部１４３には、第１流路１４１を流れる試料ガスを第２流路１４２に導くか否かを切り替えるための切替部１６が設けられている。
【００２５】
すなわち、切替部１６で流路を切り替えることにより、第１カラム１１を通過した試料ガスが検出部１５に導かれる状態、又は、第１カラム１１を通過した試料ガスが第２カラム１２に導かれる状態に切り替えることができる。切替部１６は、いわゆるディーンズ（Deans）方式を用いて極めて短時間で流路を切り替えることができるような構成となっている。ディーンズ方式を用いた切替部１６の構成は周知であるため、ここでは詳細な説明を省略する。
【００２６】
第２カラム１２に導かれた試料ガスは、当該第２カラム１２を通過した後、例えば質量分析計１７に供給される。この質量分析計１７により、第２カラム１２に導かれた試料ガス中の目的成分についてのマススペクトルを得ることができる。ただし、このような構成に限らず、質量分析計１７は、その他の検出器、例えば先述の、水素炎イオン化検出器、熱伝導度型検出器、電子捕獲型検出器、及び、炎光光度検出器から選択される検出器により構成されていてもよい。
【００２７】
図２は、ガス流路切替装置１の電気的構成を示すブロック図である。このガス流路切替装置１には、制御部２及び記憶部３などが備えられている。制御部２及び記憶部３は、ガス流路切替装置１専用のものであってもよいし、例えば分析装置に備えられた制御装置又は記憶装置が、制御部２又は記憶部３を構成していてもよい。
【００２８】
制御部２は、例えばＣＰＵ（Central Processing Unit）を含む構成であり、ＣＰＵがプログラムを実行することにより、切替処理部２１、切替タイミングシフト処理部２２及び条件設定補正処理部２３などの各種機能部として機能する。この制御部２は、検出部１５による検出結果に基づいて切替部１６を制御するようになっている。
【００２９】
切替処理部２１は、切替部１６を切り替えるための処理を行うものであり、記憶部３にメソッドファイルとして記憶されている条件設定に基づいて、切替部１６を制御するようになっている。記憶部３は、例えばハードディスク又はＲＡＭ（Random Access Memory）などにより構成され、制御部２による制御の条件設定などをメソッドファイルとして記憶している。
【００３０】
記憶部３にメソッドファイルとして記憶されている条件設定には、切替部１６の切替タイミングの他、予め定められた基準成分に対応付けられた基準時間などが含まれる。これらの切替タイミング及び基準時間は、例えば切替部１６を切り替えずに分析を行うことにより得られたクロマトグラムを用いて設定される。
【００３１】
切替タイミングシフト処理部２２は、切替部１６の切替タイミングを分析中にリアルタイムでシフトさせるための処理を行う。この切替タイミングシフト処理部２２は、記憶部３に記憶されている条件設定に基づいて予め定められた切替タイミングで切替部１６を切り替えようとする切替処理部２１の実行プログラムに対して、当該切替タイミングをシフトさせる時間（シフト量）を設定する処理を行うようになっている。
【００３２】
具体的には、予め定められた基準成分が検出部１５により検出された場合に、切替タイミングシフト処理部２２は、当該基準成分に対応付けて記憶部３に記憶されている基準時間に基づいて、切替タイミングのシフト量を決定する。そして、決定されたシフト量で切替タイミングをシフトさせて切替部１６を切り替えるように、切替タイミングシフト処理部２２から切替処理部２１に対してフィードバック処理が行われる。このようなフィードバック処理の結果は、例えば記憶部３に記憶されているメソッドファイルに格納又は上書きされ、実際に行われた処理内容を分析後に参照することができるようになっている。
【００３３】
条件設定補正処理部２３は、切替タイミングシフト処理部２２により切替部１６の切替タイミングがシフトされた場合に、シフト後の時間に切替部１６が切り替えられるように、記憶部３に記憶されている条件設定（切替タイミング）を補正する。この条件設定補正処理部２３による処理は、分析終了後に、分析中に行われた切替タイミングシフト処理部２２による処理の結果に基づいて行われる。この例では、条件設定補正処理部２３による補正後の条件設定が、新たなメソッドファイルとして記憶部３に記憶されるようになっている。
【００３４】
図３は、切替部１６を切り替える際の態様について説明するためのクロマトグラムの概略図である。上述の通り、切替部１６の切替タイミング及び基準時間などは、例えば切替部１６を切り替えずに分析を行うことにより得られたクロマトグラムを用いて設定される。
【００３５】
切替部１６を切り替えずに分析を行うことにより、図３（ａ）に示すようなクロマトグラムが得られた場合、目的成分を第１流路１４１から第２流路１４２に分離（ハートカット）するために、当該目的成分のピークＰ１の前後で切替部１６を切り替えるための時間設定が行われる。すなわち、ピークＰ１の直前のタイミングＴ１で試料ガスを第２流路１４２に導くように切替部１６を切り替える時間が設定されるとともに、ピークＰ１の直後のタイミングＴ２で元の状態（試料ガスを第２流路１４２に導かない状態）に戻すように切替部１６を切り替える時間が設定される。
【００３６】
また、試料ガスに含まれる任意の成分を基準成分と定めて、当該基準成分のピークＰ２が検出部１５により検出された時間（リテンションタイム）ＲＴが基準時間として設定される。基準成分は、試料ガスに最初から含まれている成分であってもよいし、試料ガスに添加された成分であってもよい。リテンションタイムが変動しにくい成分を基準成分として試料ガスに添加することも可能である。
【００３７】
例えば、図３（ａ）に示すようなクロマトグラムに基づいて、目的成分のピークＰ１の前後で切替部１６を切り替えるための時間設定が行われた後、その時間設定で繰り返し分析を行った場合には、図３（ｂ）に示すように、目的成分及び基準成分を含む各成分を検出する時間がずれる場合がある。本実施形態では、このような場合に、切替タイミングシフト処理部２２により、切替部１６の切替タイミングを分析中にリアルタイムでシフトさせるための処理が行われるようになっている。
【００３８】
具体的には、基準成分を検出部１５により検出した時間ＲＴが、当該基準成分に対応付けられた基準時間に対して所定時間ΔＲＴずれている場合に、その後に目的成分を第２流路１４２に導くための切替部１６の切替タイミングＴ１、Ｔ２が、当該所定時間ΔＲＴに応じた時間（シフト量ΔＴ１、ΔＴ２）だけリアルタイムでシフトされるようになっている。
【００３９】
切替部１６の各切替タイミングＴ１、Ｔ２をシフトさせる際のシフト量ΔＴ１、ΔＴ２は、所定時間ΔＲＴに応じた時間であればよい。例えば、シフト量ΔＴ１、ΔＴ２は、いずれも所定時間ΔＲＴと同じ値であってもよいし、所定時間ΔＲＴに基づいて算出される値であってもよい。
【００４０】
シフト量ΔＴ１、ΔＴ２を所定時間ΔＲＴに基づいて算出する方法の一例としては、リテンションタイムに対する所定時間ΔＲＴの割合Ａに応じた値としてシフト量ΔＴ１、ΔＴ２を算出する方法が挙げられる。例えば、図３（ａ）に示すクロマトグラムにおいて基準成分のリテンションタイムＲＴが６０秒であり、図３（ｂ）に示すクロマトグラムにおいて基準成分のリテンションタイムＲＴが５９秒であった場合には、上記所定時間ΔＲＴは１秒であり、上記割合Ａ（Ａ＝ΔＲＴ／ＲＴ）は、１／６０となる。
【００４１】
この場合には、上記割合Ａを切替部１６の各切替タイミングＴ１、Ｔ２に乗じた値が、各シフト量ΔＴ１、ΔＴ２として算出されるようになっていてもよい。例えば、切替タイミングＴ１が６００秒、切替タイミングＴ２が６６０秒である場合には、シフト量ΔＴ１は、６００秒に１／６０を乗じた値（１０秒）となり、シフト量ΔＴ２は、６６０秒に１／６０を乗じた値（１１秒）となる。
【００４２】
ただし、上記のような方法に限らず、他の各種態様でシフト量ΔＴ１、ΔＴ２を所定時間ΔＲＴに基づいて算出することができる。例えば、予め定められた計算式に所定時間ΔＲＴを代入することにより、相対的なリテンションタイムの比率を算出し、当該比率に基づいてシフト量ΔＴ１、ΔＴ２を算出するような方法などであってもよい。
【００４３】
図４は、切替部１６の切替タイミングをシフトさせる際の制御部２による処理の一例を示すフローチャートである。基準成分が検出部１５により検出された場合には（ステップＳ１０１でＹｅｓ）、その基準成分のリテンションタイムＲＴのずれ量（所定時間ΔＲＴ）が特定される（ステップＳ１０２）。そして、特定された所定時間ΔＲＴに基づいて、切替部１６の各切替タイミングＴ１、Ｔ２をシフトさせる際のシフト量ΔＴ１、ΔＴ２が決定される（ステップＳ１０３）。
【００４４】
その後、目的成分を第２流路１４２に導くための切替部１６の切替タイミングＴ１、Ｔ２が、それぞれ決定されたシフト量ΔＴ１、ΔＴ２だけリアルタイムでシフトされる。このようなステップＳ１０２〜Ｓ１０４の処理は、予め定められた基準成分を検出部１５により検出した時間ＲＴが、当該基準成分に対応付けられた基準時間に対して所定時間ΔＲＴずれている場合に、その後に目的成分を第２流路１４２に導くための切替部１６の切替タイミングＴ１、Ｔ２を、当該所定時間ΔＲＴに応じた時間ΔＴ１、ΔＴ２だけリアルタイムでシフトさせる切替タイミングシフト処理ステップを構成している。
【００４５】
基準成分を検出する時間ＲＴがずれている場合には、目的成分が分岐部１４３を通過する時間もずれているため、前記所定時間ΔＲＴに応じた時間ΔＴ１、ΔＴ２だけ切替部１６の切替タイミングＴ１、Ｔ２をシフトさせることにより、目的成分を第１流路１４１から第２流路１４２に精度よく分離することができる。
【００４６】
上記のようにして、切替部１６の切替タイミングＴ１、Ｔ２がシフトされた場合には、シフト後の時間（図３（ｂ）における切替タイミングＴ１、Ｔ２）に切替部１６が切り替えられるように、記憶部３に記憶されている条件設定が補正され（ステップＳ１０５：条件設定補正処理ステップ）、補正後の新たなメソッドファイルが記憶部３に記憶される。
【００４７】
このように、切替部１６の切替タイミングＴ１、Ｔ２がシフトされた場合には、シフト後の時間に切替部１６が切り替えられるように、記憶部３に記憶されている条件設定が補正されるため、その後の分析時に補正された条件設定（補正後の新たなメソッドファイル）を用いて分析を行うことができる。すなわち、切替部１６の切替タイミングＴ１、Ｔ２がシフトされたときの条件を、その後に行われる分析時の条件設定に反映させることができるため、より適切な条件設定を用いて分析を行うことができる。
【００４８】
図５は、切替部１６を切り替える際の別の態様について説明するためのクロマトグラムの概略図である。上記実施形態では、１つの基準成分が検出された時間ＲＴに基づいて、１つの目的成分を第２流路１４２に導くための切替部１６の切替タイミングＴ１、Ｔ２をシフトさせる場合について説明したが、基準成分及び／又は目的成分を複数設定することも可能である。この図５の例では、基準成分及び目的成分が、それぞれ３つずつ互いに対応付けられて設定された場合が示されている。
【００４９】
切替部１６を切り替えずに分析を行うことにより、図５（ａ）に示すようなクロマトグラムが得られた場合、３つの目的成分を第１流路１４１から第２流路１４２に分離するために、各目的成分のピークＰ１１、Ｐ１２、Ｐ１３の前後で切替部１６を切り替えるための時間設定が行われる。すなわち、各ピークＰ１１、Ｐ１２、Ｐ１３の直前のタイミングＴ１１、Ｔ１２、Ｔ１３で試料ガスを第２流路１４２に導くように切替部１６を切り替える時間が設定されるとともに、ピークＰ１の直後のタイミングＴ２１、Ｔ２２、Ｔ２３で元の状態（試料ガスを第２流路１４２に導かない状態）に戻すように切替部１６を切り替える時間が設定される。
【００５０】
また、試料ガスに含まれる任意の３つの成分を基準成分と定めて、各基準成分のピークＰ２１、Ｐ２２、Ｐ２３が検出部１５により検出された時間（リテンションタイム）ＲＴ１、ＲＴ２、ＲＴ３が基準時間として設定される。基準成分は、上記実施形態の場合と同様、試料ガスに最初から含まれている成分であってもよいし、試料ガスに添加された成分であってもよい。
【００５１】
例えば、図５（ａ）に示すようなクロマトグラムに基づいて、目的成分のピークＰ１１、Ｐ１２、Ｐ１３の前後で切替部１６を切り替えるための時間設定が行われた後、その時間設定で繰り返し分析を行った場合には、図５（ｂ）に示すように、目的成分及び基準成分を含む各成分を検出する時間がずれる場合がある。このような場合には、各基準成分について、各基準成分に対応する目的成分を第２流路１４２に導くための切替部１６の切替タイミングが、図４に示すような上記実施形態と同様の処理によりリアルタイムでシフトされるようになっている。
【００５２】
具体的には、各基準成分を検出部１５により検出した時間ＲＴ１、ＲＴ２、ＲＴ３が、各基準成分に対応付けられた基準時間に対して所定時間ΔＲＴ１、ΔＲＴ２、ΔＲＴ３ずれている場合に、その後に各目的成分を第２流路１４２に導くための切替部１６の切替タイミングが、当該所定時間ΔＲＴ１、ΔＲＴ２、ΔＲＴ３に応じた時間（シフト量ΔＴ１１、ΔＴ２１、ΔＴ１２、ΔＴ２２、ΔＴ１３、ΔＴ２３）だけリアルタイムでシフトされるようになっている。
【００５３】
このように、複数の基準成分を用いた場合には、分析時間が長い場合や目的成分が非常に多い場合などであっても、各基準成分に対応する目的成分を第１流路１４１から第２流路１４２に精度よく分離することができる。
【００５４】
以上の実施形態では、切替部１６を切り替えることにより第２流路１４２に導かれた試料ガスが、第２カラム１２を通過するような構成について説明した。しかし、このような構成に限らず、例えば第２流路１４２に導かれた試料ガスが抵抗管などの他の部材を通過するような構成であってもよい。この場合、第２流路１４２に抵抗管を介して、第２カラム１２を介さず直接に第２検出器を連結する構成とし、第１カラム１１を通過した成分のうち第２検出器で検出したい目的成分を第２流路１４２にハーフカットするような構成からなる検出器切替ガスクロマトグラフに、本発明を適用することができる。あるいは、第２流路１４２に同じく抵抗管を介して分取管を連結する構成とし、第１カラム１１を通過した成分のうち分取したい目的成分をハーフカットするような構成からなる分取装置に、本発明を適用することもできる。さらに、３つ以上のカラムを用いて試料ガスに含まれる各成分を分離することができるような装置にも、本発明を適用することが可能である。
【００５５】
また、上述のようなガス流路切替装置としてコンピュータを機能させるためのプログラム（ガス流路切替プログラム）を提供することも可能である。この場合、前記プログラムは、記憶媒体に記憶された状態で提供されるような構成であってもよいし、プログラム自体が提供されるような構成であってもよい。
【符号の説明】
【００５６】
１    ガス流路切替装置
２    制御部
３    記憶部
１１    第１カラム
１２    第２カラム
１３    試料ガス導入部
１５    検出部
１６    切替部
１７    質量分析計
２１    切替処理部
２２    切替タイミングシフト処理部
２３    条件設定補正処理部
１１１    第１カラムオーブン
１２１    第２カラムオーブン
１４１    第１流路
１４２    第２流路
１４３    分岐部
【図１】
2014153075.tif 000003
【図２】
2014153075.tif 000004
【図３】
2014153075.tif 000005
【図４】
2014153075.tif 000006
【図５】
2014153075.tif 000007
【図６】
2014153075.tif 000008